(57)【特許請求の範囲】
【請求項１】
容器本体(１)の口筒部(２)に有頂円筒状の組付きキャップ(２１)により手動押下げポンプを組付け固定したポンプ付き注出容器であって、
該組付きキャップ（２１）の頂壁（２２）内の開口部（２３）を挿通して上方に突出したポンプ（４１）のステム（４２）の上端部に、ノズル筒（３６）を延出したノズルヘッド（３１）を嵌着しており、
該容器本体（１）は、肩部（３）付近から上方に起立すると共に左右側面に突設する軸受部（５）を備えたレバー受け部（４）を有し、
前記レバー受け部（４）には、該ノズルヘッド（３１）の頂部（３２）の押下げ操作を発揮すると共に前記レバー受け部（４）の軸受部（５）に対して着脱可能に軸支されるレバー基部（１１ａ）を備えたレバー部材（１１）が回動可能に連結され、
前記レバー部材（１１）は、前記レバー基部（１１ａ）を前記軸受部（５）に軸支させる際の向きに応じ、
前記ノズルヘッド（３１）の上方に位置して前記ノズル筒（３６）側へ延びる操作位置（Ｐａ）及び、
前記レバー受部（４）に対して前記ノズルヘッド（３１）側と反対側に位置して前記容器本体（１）の側壁に沿って下方へ延びる収納位置（Ｐｂ）に、選択的に移動可能であることを特徴とするポンプ付き注出容器。
【請求項２】
前記レバー部材（１１）は、底面に突起（１２）を突設している請求項１に記載のポンプ付き注出容器。
【発明の詳細な説明】
【技術分野】
【０００１】
本発明は、容器本体の口筒部に手動押下げ式のポンプを組付け固定したポンプ付き注出容器に関する。
【背景技術】
【０００２】
例えば特許文献１には、容器本体の口筒部に容器本体に収納された内容液を注出する手動押下げポンプを取付キャップで組付け固定したポンプ付き注出容器に係る発明が開示されている。
【０００３】
この種のポンプ付き注出容器、特に据置きタイプの注出容器では、通常、一方の手でノズルヘッドを押圧しながら、他方の手の、手の平で注出される内容液を受け取るようにして注出操作を実施することが多い。その一方で、実際の使用では片方の手が塞がった状態で注出操作をする必要がある場面もあり、片手での注出操作を容易に実施可能なポンプ付き注出容器の要望が高まっていた。片手だけの操作では、例えば、子供や高齢者等の力のない弱者にあってはノズルヘッドの押下げ力が足りず注出がスムーズに行えない場合があることから、注出が容易にできるようにノズルヘッドの押下げ操作を小さい力で行えるポンプ付き注出容器が求められていた。
【先行技術文献】
【特許文献】
【０００４】
【特許文献１】特開２０１０−８３５２７号公報
【発明の概要】
【発明が解決しようとする課題】
【０００５】
そこで、本発明は、片手での注出操作を容易に実施可能でありながら、ノズルヘッドの押下げ操作を小さい力で行えるポンプ付き注出容器を創出することを技術的な課題とするものである。
【課題を解決するための手段】
【０００６】
上記課題の解決手段として、本発明に係るポンプ付き注出容器は、
容器本体の口筒部に有頂円筒状の組付きキャップにより手動押下げポンプを組付け固定したポンプ付き注出容器であって、該組付きキャップの頂壁内の開口部を挿通して上方に突出したポンプのステムの上端部に、ノズル筒を延出したノズルヘッドを嵌着しており、
該容器本体は、肩部付近から上方に起立すると共に左右側面に突設する軸受部を備えたレバー受け部を有し、前記レバー受け部には、該ノズルヘッドの頂部の押下げ操作を発揮すると共に前記レバー受け部の軸受部に対して着脱可能に軸支されるレバー基部を備えたレバー部材が回動可能に連結され、前記レバー部材は、前記レバー基部を前記軸受部に軸支させる際の向きに応じ、前記ノズルヘッドの上方に位置して前記ノズル筒側へ延びる操作位置及び、前記レバー受部に対して前記ノズルヘッド側と反対側に位置して前記容器本体の側壁に沿って下方へ延びる収納位置に、選択的に移動可能であることを特徴とする。
【０００９】
また更に、本発明に係る別のポンプ付き注出容器において、レバー部材は底面に突起を突設している。
【発明の効果】
【００１０】
本発明の上記した構成においては、以下に示す効果を奏する。
レバー受け部を軸支としてノズルヘッドの頂部の押下げ操作を発揮するレバー部材を備えているため、テコの原理をレバー部材に適用できることで、ノズルヘッドの押し下げを小さな力で達成することができた。また、片手での注出操作を容易に達成することが可能である。
【００１１】
また、本発明では、レバー部材の底面に突起が突設されていることによりノズルヘッドの頂部に接したときに、レバー部材の先端部分が上向きになり指先で押し下げ易くなっている。
【図面の簡単な説明】
【００１２】
【図１】本発明に係るポンプ付き注出容器の実施形態を部分的に断面として示す側面図である。
【図２】図１の実施形態のポンプ付き注出容器の上面図である。
【図３】図１の実施形態のポンプ付き注出容器の使用態様を示す概略説明図である。
【図４】参考例としての容器本体を部分的に断面として示す側面図である。
【図５】ポンプ付き注出容器の参考例を部分的に断面として示す側面図である。
【図６】図５の参考例のポンプ付き注出容器の使用態様を示す概略説明図である。
【発明を実施するための形態】
【００１３】
以下、本発明にかかる実施の形態について図面を参照しつつ説明する。
【００１４】
図１〜図３は本発明のポンプ付き注出容器の実施形態を示すものであり、図１は部分的に縦断して示す側面図、図２は上面図、図３は使用態様を示す概略説明図である。なお、以降の説明での部材の相対的な向きを明確にするため、前は内容液の注出方向に相当し、後はその逆方向、そしてこの前後方向に直角な方向を左右方向とする。
【００１５】
手動押下げポンプ付き注出容器は、ブロー成型による容器本体１、ポンプ４１、このポンプ４１の上端部に配設されるノズルヘッド３１、ポンプ４１を容器本体１の口筒部２に組付け固定する組付きキャップ２１の部材から構成されている。
【００１６】
容器本体１は、例えば合成樹脂材料をブロー成型することにより成型され、上端の口筒部２の下方に肩部３を備えると共に、肩部３付近から上方に起立したレバー受け部４を有する構造となっている。レバー受け部４は、ポンプ使用時にあって後述のノズル筒３６から内容液Ｌが注出する前方に対向する、容器本体１の後方に形成されている（図２参照）。
【００１７】
本実施形態において、レバー部材１１はレバー受け部４に着脱自在であり、レバー受け部４の左右側面に突設している軸受部５にレバー基部１１ａを装着することができる。そしてレバー部材１１は、保管、輸送又は陳列などの流通時には、図１中の一点破線で示されるように、レバー受け部４の後方に収まるかたちで装着されており、ポンプ使用時には、レバー部材１１をレバー受け部４から一旦取り外し、図１中の実線で示されるようにレバー部材１１の底面をノズルヘッド３１に載置するように、レバー基部１１ａを軸受部５に装着させる。このように、別体のレバー部材１１をレバー受け部４が軸支する構造となっている。そして、レバー部材１１の底面には突起１２が突設している。
【００１８】
組付きキャップ２１は、有頂円筒状で頂壁２２内に開口部２３が形成されている。組付きキャップ２１の上方には、後述のポンプ４１のシリンダー上端部に嵌合したリング部材２３ａが配設されている。リング部材２３ａの内周面には螺溝が形成されている。そして、側周壁２４の内周面には螺溝が形成されており、図１に示されているように、この組付きキャップ２１を容器本体１の口筒部２に螺合組付けする際に、ポンプ４１のシリンダーの外鍔状のフランジ部を、組付きキャップ２１の頂壁２２と容器本体１の口筒部２の上端面でパッキンを介して挟持することにより、ポンプ４１を容器本体１にしっかりと組付け固定することができる。このように、リング部材２３ａとポンプ４１のシリンダーが嵌合し、リング部材２３ａとシリンダーとの間に組付きキャップ２１を設けることで、組付きキャップ２１は３６０度自由に回転可能である。なお、組付きキャップ２１とリング部材２３ａは一体構造であっても構わない。
【００１９】
ノズルヘッド３１は有頂円筒状で、側壁３３の端部から横方向（前方）にノズル筒３６を延出したものであり、頂部３２から垂下設した嵌合筒３４がポンプ４１のステム４２の上端部の外側に嵌着し、組付き固定される。そして、嵌合筒３４の外周面にはリング部材２３ａの内周面の螺溝に螺合する螺条３５が形成されている。
【００２０】
ポンプ４１は、縦長円筒状のシリンダー中のスプリングにより上方に付勢しているピストンにステム４２が嵌着した状態で、ステム４２とピストンを密摺動可能に配設したものである。
【００２１】
本実施形態のポンプ付き注出容器は、内容液Ｌを充填した製品の保管、輸送又は陳列段階などの流通時にはノズルヘッド３１を下降変位した状態で、嵌合筒３４の外周面の螺条３５をリング部材２３ａの内周面の螺溝に螺合により固定され、誤操作により内容液Ｌが注出しないように構成したタイプのものである。このポンプ付き注出容器の使用時には、図２に示されるように時計の１時方向と２時方向の間で固定されているノズルヘッド３１を反時計回りに回動することによって螺合状態を解消すると、ポンプ４１内に配設されたスプリングの上方への付勢作用によりノズルヘッド３１は上方に上昇変位し（図１の状態）、この状態からノズルヘッド３１を押し下げることにより内容液Ｌを注出することが可能となる。
【００２２】
図３に示されるポンプ付き注出容器の使用態様においては、レバー部材１１のノズル筒３６に近い先端部を手Ｈの指先で押し下げると、この押し下げ箇所が力点、軸受部５が支点となるテコの原理によって、作用点となるレバー部材１１の底面の突起１２には増幅された押圧力が作用し、これによりノズルヘッド３１は押し下げられる。本発明では、テコの原理を利用することによって、小さい押圧力で軽快に押下げ操作をすることが可能となり、例えば子供や高齢者等の力のない弱者のレバー部材１１の小さな押し下げ力であっても、ノズルヘッド３１に対する押圧力を効果的に利用できる。これにより、内容液Ｌをノズル筒３６から注出、図３ではスポンジの上に注出することが、片手であっても注出作業を容易に達成することができる。レバー部材１１の底面に突起１２が突設されていることでノズルヘッド３１の頂部３２に接したとき、レバー部材１１の先端部分が上向きになり手Ｈの指先で押し下げ易くなっている。なお、レバー部材１１の押し下げ時において、押下げ当初はレバー部材１１底面の突起１２がノズルヘッド３１の頂部３２を押し下げているが、レバー部材１１が押し下がるにつれてレバー部材１１の底面がノズル筒３６にも接して押し下げる。
【００２３】
次に、本発明の他の実施形態について説明する。
図４〜図６は参考例を示すものであり、上記実施形態のポンプ付き注出容器と異なる点は、主としてレバー受け部４とレバー部材１１の構成である。
【００２４】
参考例のポンプ付き注出容器の容器本体１は、図４に示されるようにレバー受け部４とレバー部材１１が一体成形により成形されている。そして、レバー受け部４及びレバー部材１１はヒンジ１３を介して連結され、レバー受け部４が軸支する構造となっている。レバー部材１１は、流通時には薄い切片状の係止片１４によりレバー受け部４の後方に固定さているが、使用時には、係止片１４を切取り、図５に示されるようにレバー部材１１をノズルヘッド３１に載置する。そして、レバー部材１１の先端部を手Ｈの指先で押し下げると、この押し下げ箇所が力点、ヒンジ１３が支点となるテコの原理で、作用点となるレバー部材１１の底面の突起１２には増幅された押圧力が作用するため、ノズルヘッド３１はレバー部材１１の小さな押圧力で押し下げることができる（図６参照）。
【００２５】
上記実施形態では、テコの原理を利用するレバー部材１１を備えるが、レバー部材１１を取り外したり、レバー部材１１をレバー受け部４の後方に移動（収納位置（Ｐｂ）させたりして、従来通りノズルヘッド３１を押圧するポンプ付き注出容器として使用することもできる。
【００２６】
以上、実施形態に沿って本発明の構成とその作用や効果について説明したが、本発明の実施の形態は上記実施形態に限定されるものではない。
【００２７】
例えば、ノズルヘッド３１の螺合様式は本実施形態の他にも、本実施形態のノズルヘッド３１の側壁３３の内周面に相当する部分に螺溝を形成し、リング部材２３ａの外周面に相当する部分に螺条を形成し、両者を螺合する構成とすることもできる。
なお、上記実施形態における組付けキャップ２１、ノズルヘッド３１、ポンプ４１などからなるポンプ機構は、従来から使用されている公知技術の構造であれば、どのような形態のものを使用しても構わない。
【産業上の利用可能性】
【００２８】
以上説明したように、本発明のポンプ付き注出容器はノズルヘッドの押し下げを小さな力で達成することができ、かつ片手での注出操作を容易に実現できるものであり、幅広い用途に展開することが期待される。
【符号の説明】
【００２９】
１  ；容器本体
２  ；口筒部
３  ；肩部
４  ；レバー受け部
５  ；軸受部
１１；レバー部材
１１ａ；レバー基部
１２；突起
１３；ヒンジ部
１４；係止片
２１；組付きキャップ
２２；頂壁
２３；開口部
２３ａ；リング部材
２４；側周壁
３１；ノズルヘッド
３２；頂部
３３；側壁
３４；嵌合筒
３５；螺溝
３６；ノズル筒
４１；ポンプ
４２；ステム
Ｈ  ；手
Ｌ  ；内容液
Ｐａ；操作位置
Ｐｂ；収納位置
【図１】
0006635693.tif 000002
【図２】
0006635693.tif 000003
【図３】
0006635693.tif 000004
【図４】
0006635693.tif 000005
【図５】
0006635693.tif 000006
【図６】
0006635693.tif 000007